(57)【要約】【課題】収納時の蒸気吹出し口からの水漏れを防止する蓋付のスチームアイロンを提供する。【解決手段】底板の上部を気密に覆うケースと、該ケース内部の密閉空間内に収容した水を加熱して水蒸気を生じさせる加熱手段と、該密閉空間内の水蒸気を該底板の底面に形成された蒸気吹き出し口に導いて噴出させるテーパ状の蒸気吹き出し孔と、該蒸気吹き出し孔に着脱自在に嵌着されて該吹きだし孔を閉塞する蓋体とを備えたスチームアイロンとする。【選択図】図４
0003125111.tif 000002
【実用新案登録請求の範囲】
【請求項１】
底板の上部を気密に覆うケースと、該ケース内部の密閉空間内に収容した水を加熱して水蒸気を生じさせる加熱手段と、該密閉空間内の水蒸気を該底板の底面に形成された蒸気吹き出し口に導いて噴出させるテーパ状の蒸気吹き出し孔と、該蒸気吹き出し孔に着脱自在に嵌着されて該吹きだし孔を閉塞する蓋体とを備えていることを特徴とするスチームアイロン。
【請求項２】
前記蓋体が、
前記蒸気吹き出し口に当接するフランジと、
該フランジの裏面側中央部に突設された弁軸と、
該弁軸の先端に一体的に拡径形成され、前記蒸気吹き出し孔の内部に挿入されてその内周面に嵌着する円板状の弁体と、
からなることを特徴とする請求項１に記載のスチームアイロン。
【請求項３】
前記蓋体のフランジの表面側に、該蓋体の着脱操作時に把持する摘み部が一体的に突出形成されていることを特徴とする請求項２に記載のスチームアイロン。
【請求項４】
前記底板の吹き出し口の周囲に、前記蓋体のフランジ部と摘み部とを収納する深さの凹部が形成されていることを特徴とする請求項３に記載のスチームアイロン。
【請求項５】
前記蓋体のフランジ部外周縁に径方向外方に突出する係合突起が設けられているとともに、前記底板の凹部内周面に該係合突起が係合される係合片が周方向に沿って所定長で形成され、該係合片の一端には該係合突起が当接するストッパ片が形成されていることを特徴とする請求項３または４のいずれかに記載のスチームアイロン。
【考案の詳細な説明】
【技術分野】
【０００１】
本考案は、蒸気吹出し口用の蓋を備えたスチームアイロンに関する。
【背景技術】
【０００２】
スチームアイロンは、底板の下面先端側に形成された凹部の一箇所に蒸気吹出し口を開口し、底板に設けた電気ヒータで当該底板を加熱するとともに、アイロン内部に注入した所定量の水を加熱して蒸気を生じさせ、これを上記蒸気吹出し口を通じて噴き出させるようになっている。そして、皺伸ばし対象物の生地にアイロン掛けをする際には、当該対象物の生地をアイロン台等の上に広げ、これにスチームアイロンの底面を押し付けてプレスしながら滑らせることで、生地を高温の蒸気で湿潤させつつ底板の熱で水分を飛ばして皺を伸ばすようになっている。
【０００３】
ところで、この様なスチームアイロンによる皺伸ばしでは、生地をプレスしながらの作業となるため、シャツのボタン周りやスラックスのタック部分、並びにポケット周り等の皺を伸ばすには、細かな手作業が必要であるばかりか、アイロンの掛けすぎによって生地にテカりが生じてしまうこともあって、当て布をする必要が生じる等、甚だ面倒であり、また時間を要するものであった。
【０００４】
このため、近年、エネルギー量の高い蒸気を用いて、アイロンを生地に強く押し付けて滑らすことなく、軽く押さえる程度で皺を伸ばすことができるスチームアイロンが開発され、普及し始めている。このスチームアイロンは、底板とこの底板の上部を気密に覆って内部に水を収容する密閉空間を形成するケースとからなる本体が耐熱性樹脂で形成されており、底板の内面側に一対の電極が配設されている。
【０００５】
そして、当該スチームアイロンを使用するに際しては、ケース内に収容した水に塩を混合させて溶かし、この塩水に上記電極を介して通電することで加熱させて高温のエネルギー量の高い蒸気を発生させるようになっている。即ち、エネルギー量の高い蒸気を吹き出し口から底板の凹部内に供給して生地に浸透させることで、軽い加圧力で皺伸ばしが行えるようになっている。また、Ｙシャツやブラウス等の薄手の生地製品であれば、当該スチームアイロンを手に持って、噴き出される高エネルギーのスチームをあてるだけで皺伸ばしを行うことができ、しかも本体が耐熱性合成樹脂で軽量に作製されているので、ハンガーに掛けたままにして、手にしたアイロンからの蒸気を吹き付けるだけの簡易な作業で短時間に皺伸ばしを行うことができ、外出直前の時間的な余裕のない場合等に非常に有用性の高いものとなっている。また、シンプルな構造で小型軽量に作製されているため携帯性に優れ、旅行先や出張先等に持参するのに非常に有用である。
【考案の開示】
【考案が解決しようとする課題】
【０００６】
しかしながら、上記従来のスチームアイロンにあっては、使用後にケース内に収容した塩水を完全に抜き取ることは困難で、多少の水分がケース内に残ってしまう。このため、旅行先などに携帯した際などに、ケース内に残った水分が蒸気吹出し口から外に漏れてしまって旅行かばんの内部などを濡らしてしまう恐れがあった。
【０００７】
本考案は、以上の課題を解決するものであり、その目的は、スチームアイロン使用後にケース内に残った水分が、携帯時などに蒸気吹出し口から外に漏れることを防止するための吹出し口蓋付スチームアイロンを提供することにある。
【課題を解決するための手段】
【０００８】
前記目的を達成するために本考案は、底板の上部を気密に覆うケースと、該ケース内部の密閉空間内に収容した水を加熱して水蒸気を生じさせる加熱手段と、該密閉空間内の水蒸気を該底板の底面に形成された蒸気吹き出し口に導いて噴出させるテーパ状の蒸気吹き出し孔と、該蒸気吹き出し孔に着脱自在に嵌着されて該噴出し孔を閉塞する蓋体とを備えていることを特徴とする。
【０００９】
また、請求項２の考案は、請求項１において、前記蒸気吹き出し口に当接するフランジと、該フランジの裏面側中央部に突設された弁軸と、該弁軸の先端に一体的に拡径形成され、前記蒸気吹き出し孔の内部に挿入されてその内周面に嵌着する円板状の弁体と、からなることを特徴とする。
【００１０】
請求項３の考案は、請求項２において、前記蓋体のフランジの表面側に、該蓋体の着脱操作時に把持する摘み部が一体的に突出形成されていることを特徴とする。
【００１１】
請求項４の考案は、請求項３において、前記底板の吹き出し口の周囲に、前記蓋体のフランジ部と摘み部とを収納する深さの凹部が形成されていることを特徴とする。
【００１２】
請求項５の考案は、請求項３または４において、前記蓋体のフランジ部外周縁に径方向外方に突出する係合突起が設けられているとともに、前記底板の凹部内周面に該係合突起が係合される係合片が周方向に沿って所定長で形成され、該係合片の一端には該係合突起が当接するストッパ片が形成されていることを特徴とする。
【考案の効果】
【００１３】
したがって、本考案においては、使用後に収納ケース内に残った水分が携帯時などに蒸気吹出し口から外に漏れるのを防止でき、より携帯性に優れたものとなる。
【００１４】
請求項２の考案では、テーパ状の吹出し孔の内周面に弁体が密着嵌合してより確実に水の漏れを防止するとともに、蓋体を簡易に着脱できる。  
請求項３の考案では、蓋体の脱着作業が容易である。  
請求項４の考案では、蓋体を取り付けた際に凹部におさまるので、携帯時に他のものにひっかかって外れてしまうことを防止できる。  
請求項５の考案では、蓋体の取り付け方向とは垂直方向に回転させないと蓋体を取り外せなくなるので、携帯時に外れてしまう危険性がさらに小さくなる。
【考案を実施するための最良の形態】
【００１５】
以下、本考案の最良の実施の形態に付いて添付図面を参照して説明する。図１〜３は本考案が適用されるスチームアイロンを示す。このスチームアイロン１は、耐熱性合成樹脂成形体からなる舟形をした扁平な底板２と、この底板２上に密閉状態に嵌合固定された同じく耐熱性合成樹脂成形体からなる密閉ケース３とを備えている。
【００１６】
ケース３はその前部４が上方に突出し、中央部には窪み部５が形成されている。そして、この窪み部５の上方には当該ケース３の前部４の上方突出部と当該ケース３の後部とに一体化された把手部６が形成されている。また、ケース３の前部４における頂面には、特に図４に示すように、注水口４ａが開口され、この注水口４ａには水密式のネジキャップ７が脱着可能に取付けられている。また、前記把手部６の頂面にはスイッチ８が取付けられ、後端にはこのスイッチ８と接続した電源コード９が延突出している。
【００１７】
また、前記底板２の内面側には、特に図４に示すように、前記電源コード９にスイッチ８を介して接続される一対の電極１０が、底面２の幅方向に所定間隔を空けて固定されて取り付けられている。この電極１０にはスイッチ８を介して電源コード９から交流商用電力が供給されるようになっている。底板２の底面は梨地状のシボ２ａが形成され、これに接触する生地に対する滑り性を確保している。また底板２の底面における前部側には、略楕円形状をした所定面積の凹部２ｂが形成され、この凹部２ｂ内のやや前方寄りにはもう１つの円形凹部（奥部２ｃ）が形成されている。この奥部２ｃの内底面にはアイロン先端側の中心線上に位置されて蒸気吹出し口２ｄが開口している。
【００１８】
この蒸気吹出し口２ｄには、特に図４に示すように、蒸気吹き出し孔１２を画成する吹き出し通路形成部材１４が底板２の上部に一体的に設けられてケース３内に突出している。この吹き出し通路形成部材１４はテーパ筒形をなしており、上端が蒸気導出口１４ａになっている。
【００１９】
なお、以上のアイロン１内には図示しないバイメタルなどの温度センサを内蔵し、内部の水が空になり、温度が沸点温度からさらに昇温すると自動的に電源断とすることもできるほか、アイロン１を横倒しした際にも電源断となるスイッチも内蔵させることができる。
【００２０】
従って、以上のアイロン１では、ネジキャップ８を取り、注水口４ａより附属の図示しない計量カップにより定量の水を注入するとともに、注入した水に塩を混合溶解させて塩水とし、再びネジキャップ８を注水口４ａに取付けて水密性を確保した上で、電源コード９をプラグを介してコンセントに接続し、スイッチ８をオンすれば、電極１０に交流商用電力が供給され通電する。この電極１０間の通電により、内部の塩水は昇温し、その沸点（水の沸点より高い）で飽和蒸気となり、蒸気導出口１４ａと蒸気吹き出し孔１２とを通じて蒸気吹出し口２ｄから吹き出される。そしてアイロン１が生地上に当てられている状態では蒸気吹出し口２ｄの直下から凹部２ｂ側に回り込み、この凹部２ｂ面全体を通じて飽和蒸気が対象生地に供給される。
【００２１】
また、計量カップで計量されてケース３内に注入される水量は、最大でもケース３の内容積の半分以下に設定されていて、これによりアイロン１を横倒しにすると一対の電極のうちのいずれか一方は塩水中に浸からなくなり、もって通電が遮断されて発熱及び蒸気の発生も止まるようになっている。
【００２２】
ここで、以上の蒸気の噴気速度及び蒸気圧力は、前記蒸気吹出し口２ｄの開口径Ｒに応じたものとなるため、その噴気速度はわりと緩やかであり、また低圧状態となっている。つまり、生地素材が蒸気の保湿によって皺が戻りやすく、飽和蒸気温度である１００℃程度を制限温度とするものに最も適合するように吹き出し口２ｄ及び吹き出し孔１２の形状が設定されている。従って、それ以外の厚手の綿等のような生地素材に対しては、蒸気の浸透力がやや不足する。
【００２３】
このため本実施例では、前記吹出し口２ｄの開口に蒸気圧を高めて噴出させるアタッチメントノズル（図示は省略）を脱着可能に取付けられるようにしている。このアタッチメントノズルは、アイロン１の底板２及びケース３と同じく耐熱性樹脂成形体からなるものであって、蒸気吹き出し孔１２の内周、すなわち吹き出し通路形成部材１４の内周部に脱着可能に嵌合されるテーパ状の筒部と、この筒部の先端に一体化されて前記蒸気吹出し口２ｄの開口面を閉塞する蓋板と、蓋板の内外を貫通して前記蒸気吹出し口内部に連通する複数の細孔と、蓋板の外側の一部より一体に延在された脱着操作用のタブとを備えている。
【００２４】
前記筒部は、吹き出し通路形成部材１４の内面テーパ形状と同一のテーパ形状であり、特に固定手段を要することなくテーパ嵌合によってアタッチメントノズルを固定して取付けることができるようになっている。またアタッチメントノズルを取り外す場合には、タブに指を掛けてこじることにより、容易に取り外しが可能となっている。
【００２５】
アタッチメントノズルを装着した状態でアイロン１内に水Ｗを入れ電極１０間を通電させると、生成した飽和蒸気は、アタッチメントノズルの各細孔を通じて放射状に噴出するので、その噴気速度と圧力とは、ともにアタッチメントノズルがない場合に比べて格段に高いものとなり、生地に対してアタッチメントノズルに対面した部位に集中して蒸気を供給し得るため、同一温度であっても生地に対する蒸気の浸透性が可及的に向上する。
【００２６】
以上の様に構成されるスチームアイロンにあって、使用後はアイロン１を逆さまにするなどして注水口４ａよりケース３内に残った塩水をできるだけ排出してふたたびネジキャップ８で水密性を確保して収納する。しかしながら、ケース３内にわずかに残った水分は、携帯する際などに本体が揺られると、開口した蒸気吹き出し口２ｄから外部に漏れる場合がある。
【００２７】
そこで本考案では、図４、図５に示すように、前記吹き出し口２ｄの開口に吹出し口蓋２０を脱着可能に取付けられるようにしている。この吹出し口蓋２０は、アイロン１の底板２、ケース３及びアタッチメントノズルと同じく耐熱性樹脂成形体からなるものであって、前記蒸気吹出し口２ｄに当接して開口面を閉塞するフランジ２１と、フランジ２１の外側の一部より径方向外方に一体に延在された係合突起２２と、フランジの表面側に向けて一体的に一文字状に突出形成された摘み部２３と、フランジ２１の裏面側中央部に一体的に突設された断面十字状の弁軸部２４と、この弁軸部２４の先端に一体的に拡径形成され、蒸気吹出し孔１２の内周、すなわち吹出し通路形成部材１４の内周部に脱着可能に嵌合される円板状の弁体２５とを備えている。
【００２８】
弁軸は、吹出し口蓋２０を蒸気吹出し孔１２に挿入してフランジ２１が凹部の奥部２ｃに当接した際に、ちょうど弁体が吹き出し通路形成部材１４の内周面に嵌合するような長さに形成されている。これによって、特に固定手段を要することなく吹出し口蓋２０を吹出し孔に固定して取付けることができるようになっており、また弁体２５が過剰に吹き出し通路形成部材１４の内周面に嵌合されてしまうことを防止している。吹出し口蓋２０を取り外す場合には、摘み部２３を把持して回転させることにより、容易に取り外しが可能となっている。
【００２９】
フランジ２１の外周縁には、径方向外方に突出して係止突起２２が一体形成されている。この係止突起２２の厚みはフランジ２１の厚みの半分程度で、フランジ２１の裏面側に寄せて一体的に形成されている。また、アイロン１の凹部２ｂの奥部２ｃ内周面に、周方向に沿って所定長で係合片２６が形成されている。そして、吹出し口蓋２０を吹き出し口２ｄに装着する際には、奥部２ｃ上方の該係合片２６の形成されていない箇所から係止突起２２を挿入するようにして、フランジ２１が内底面に当接するまで吹出し口蓋２０を挿入し、その後吹出し口蓋２０を回転させることにより、係止突起２２を該係合片２６の裏面に係合させる。これによって、当該吹出し口蓋２０の固定係止をより確実なものとしている。
【００３０】
また、係合片２６の一端には、係止突起２２が当接するストッパ片２７が形成されている。これにより、吹出し口蓋２０を回転させ過ぎて吹出し口蓋２０が誤って脱落してしまうことをより確実に防止できる。
【００３１】
以上のように構成される蒸気吹出し口蓋付スチームアイロンにあっては、使用後にケース３内にわずかに残った水分が、携帯する際などに本体が揺られたりしてケース３の外部に漏れることを防止できる。したがって、旅行や出張などに携帯しても、一緒に所持した荷物が濡れてしまうことを防止できる。また、携帯時に吹出し口蓋が誤って外れてしまって、一緒に所持した荷物が濡れてしまうことも防止できる。
【図面の簡単な説明】
【００３２】
【図１】本考案を適用したスチームアイロンの側面図である。
【図２】同スチームアイロンの平面図である。
【図３】同スチームアイロンの底面図である。
【図４】図２中のＡ−Ａ線における断面図である。
【図５】本考案を適用した吹出し口蓋を示し、（ａ）は正面図、（ｂ）は（ａ）の左側面図、（ｃ）は（ａ）の右側面図である。
【図６】同吹出し口蓋のアイロンへの取り付け状態を示す図である。
【符号の説明】
【００３３】
１  アイロン
２  底板
２ｂ、２ｃ  凹部
２ｄ  蒸気吹出し口
３  ケース
１０  電極
１２  蒸気吹出し孔
２０  蒸気吹出し口蓋
２１  フランジ
２２  係止突起
２３  摘み部
２４  弁軸部
２５  弁体
２６  係合片
２７  ストッパ片
【図１】
0003125111.tif 000003
【図２】
0003125111.tif 000004
【図３】
0003125111.tif 000005
【図４】
0003125111.tif 000006
【図５】
0003125111.tif 000007
【図６】
0003125111.tif 000008